(57)【要約】【課題】粘着ロールの軸支構造を簡単かつ安価に構成できる粘着ロール式清掃具を提供することを目的とする。【解決手段】清掃具本体は、把持部１と、粘着ロール５を回転自在に軸支する軸体２とを同軸状に連結形成して構成されている。軸体２は短径部４３と長径部４４とからなる断面視略楕円形状を有する。粘着ロール５を装着したとき、短径部４３と、ロール芯７の内径部との間には１ミリ以下の僅かの隙間が形成され非接触となるとともに、長径部４４がロール芯７の内径部に接触する状態になる。したがって、例えば、真円の丸軸を軸体として使用するときと比較して、粘着ロール５をがたつくことなく装着でき、使用時には長径部４４のみで接触して、ロール芯７の内径部との摩擦も低減され、スムーズな回転動作を得ることができる。【選択図】      図１
2006061534.tif 000002
【特許請求の範囲】
【請求項１】
中空状粘着ロールが回転自在に軸体に挿着され、前記軸体と連結した把持部を備えた清掃具において、
前記軸体は、前記粘着ロールの挿着状態において、前記粘着ロールの内径部と接触しない小径部と、前記内径部と接触する大径部とからなる断面形状を有することを特徴とする清掃具。
【請求項２】
前記軸体を断面視略楕円形状とした請求項１記載の清掃具。
【請求項３】
少なくとも前記軸体の一端に、前記粘着ロールが圧入により装着可能であり、かつ前記粘着ロール内径より大きい外周部を含むロール抜止部を設けた請求項１又は２記載の清掃具。
【請求項４】
前記ロール抜止部は、前記粘着ロールの内径部が挿通自在な小径部を有し、前記小径部と前記外周部とが外周上に一体形成されてなる請求項３記載の清掃具。
【請求項５】
前記ロール抜止部を断面視略楕円形状とした請求項３又は４記載の清掃具。
【請求項６】
前記軸体の先端側に前記粘着ロールの挿通防止部を、また前記軸体の根元側に前記ロール抜止部を設け、前記把持部は前記粘着ロールの内径部が挿通自在な外形を備え、前記軸体と前記把持部とを同軸状に連結形成した請求項３〜５のいずれかに記載の清掃具。
【請求項７】
前記軸体と前記把持部とを互いに交差する向きに連結してなる請求項１〜６のいずれかに記載の清掃具。
【発明の詳細な説明】
【技術分野】
【０００１】
この発明は、衣類、カーペット、家具、床面等のごみや塵芥、ダニや細菌類、ゴキブリ等の小動を粘着によって除去清掃するための清掃具に関し、特に粘着ロールを用いる清掃具に関する。
【背景技術】
【０００２】
この種の粘着ロール式清掃具には、例えば、下記特許文献１の特開平８−２４２０６号公報に開示されているように、粘着ロールの粘着シートが古くなったり、使い切ったときにスペアの粘着ロールに交換可能にしたものが用いられている。
【０００３】
図７は特許文献１に記載の粘着クリーナー５０を示す。同図に示すように、把手部５３は連結部５４を介してローラー回転軸となる軸部５５と連結されている。粘着ローラー５１は回転自在に軸部５５に軸支された粘着ロール５２からなり、また粘着ロール５２は軸部５５に脱着自在に装着され、スペアの粘着ロールと交換可能になっている。
【０００４】
粘着ローラー５１の軸支構造を図８の（８Ａ）〜（８Ｄ）に示す。同図（８Ａ）は筒状ロール芯６０の中心の孔６１を軸部５５が貫通するロール片持ち支持構造を示す。また、同図（８Ｂ）の場合、粘着ロール５２は、粘着剤層を外周面に備える大径の筒６２と、軸部５５を回転可能に支持する小径の筒６３とからなり、筒６２及び６３は筒６３の内周側に放射状に設けられた複数の支柱６３ａによって同心状に結合されている。ロール片持ち支持構造では、粘着ロール５２が使用中に軸部５５より抜け落ちないように、筒６３内を貫通した軸部５５の先端に抜け止めキャップ６４を被着している。
【０００５】
さらに、同図（８Ｃ）及び（８Ｄ）はローラー両持ち支持構造の粘着クリーナーを示す。同図（８Ｃ）は中実の円柱状を有するロール芯７３を用いる場合である。ロール芯７３の両端面の中心に穴６７、６８が形成され、これに軸部６５、６６が挿入され、芯の回転が支持される。また、同図（８Ｄ）は中実の円柱状を有するロール芯７４を用いる場合であって、その両端面の中心に軸６９、７０が突出し、これらが軸受け部７５の穴７１、７２に挿入され、芯の回転が支持される。
【０００６】
【特許文献１】特開平８−２４２０６
【発明の開示】
【発明が解決しようとする課題】
【０００７】
上記の従来の粘着ローラー５１の軸支構造では、以下のような実用上の問題があった。
【０００８】
まず、図８の（８Ａ）の場合、ロール芯６０の中心の孔６１に丸軸の軸部５５を貫通させて粘着ロール５２を回転させるが、装着作業を考慮して軸部５５と孔６１との隙間を設ける必要がある。このため、成型加工時の公差などにより該隙間にばらつきが生じると、使用時に粘着ロール５２ががたついて回転するといった不具合を生じた。
【０００９】
同図（８Ｂ）のロール片持ち支持構造においては、筒６３の内周側に放射状に設けた複数の支柱６３ａからなる軸受け部を使用するため、部品点数が増えるとともに成型金型等に費用を要し、製品コストが高くなる問題があった。特に、粘着ロール５２の交換の際、抜け止めキャップ６４を外したり嵌めたりする手間を要し、また小さい抜け止めキャップ６４が転がって紛失したり、無理に嵌めて破損したりすると、粘着ローラー５１自体が使用できなくなり不経済となるおそれもあった。
【００１０】
図８の（８Ｃ）又は（８Ｄ）のロール両持ち支持構造においては、軸部６５、６６をロール芯７３の穴６７、６８に嵌入する手作業を要し、あるいはロール芯７４の軸６９、７０を軸受け部７５の穴７１、７２に嵌入する手作業を要する。しかも、何れの場合も、粘着ローラー５１の各部材はプラスチック樹脂などで形成されているため、無理に嵌入したりすると軸部６５、６６や軸受け部７５を折ったり破損してしまうおそれがあった。
【００１１】
この発明は、上記の課題に鑑み、粘着ロールの軸支構造を簡単かつ安価に構成できる粘着ロール式清掃具を提供することを目的とする。
【課題を解決するための手段】
【００１２】
本発明は前記課題を解決するためになされたものであり、本発明の第１の形態は、中空状粘着ロールが回転自在に軸体に挿着され、前記軸体と連結した把持部を備えた清掃具において、前記軸体は、前記粘着ロールの挿着状態において、前記粘着ロールの内径部と接触しない小径部と、前記内径部と接触する大径部とからなる断面形状を有する清掃具である。
【００１３】
本発明の第２の形態は、前記第１の形態において、前記軸体を断面視略楕円形状とした清掃具である。
【００１４】
本発明の第３の形態は、前記第１又は第２の形態において、少なくとも前記軸体の一端に、前記粘着ロールが圧入により装着可能であり、かつ前記粘着ロール内径より大きい外周部を含むロール抜止部を設けた清掃具である。
【００１５】
本発明の第４の形態は、前記第３の形態において、前記ロール抜止部は、前記粘着ロールの内径部が挿通自在な小径部を有し、前記小径部と前記外周部とが外周上に一体形成されてなる清掃具ある。
【００１６】
本発明の第５の形態は、前記第３又は第４の形態において、前記ロール抜止部を断面視略楕円形状とした清掃具である。
【００１７】
本発明の第６の形態は、前記第３〜第５のいずれかの形態において、前記軸体の先端側に前記粘着ロールの挿通防止部を、また前記軸体の根元側に前記ロール抜止部を設け、前記把持部は前記粘着ロールの内径部が挿通自在な外形を備え、前記軸体と前記把持部とを同軸状に連結形成した清掃具である。
【００１８】
本発明の第７の形態は、前記第１〜第６のいずれかの形態において、前記軸体と前記把持部とを互いに交差する向きに連結してなる清掃具である。
【発明の効果】
【００１９】
本発明の第１の形態によれば、前記軸体は、前記粘着ロールの挿着状態において、前記粘着ロールの内径部と接触しない小径部と、前記内径部と接触する大径部とからなる断面形状を有するので、前記粘着ロールの内径部と全面的に接触することなく、前記大径部においてのみ接触して、スムーズな前記粘着ロールの回転運動を得ることができる。したがって、前記軸体を前記小径部と前記大径部とからなる断面形状にするだけで簡単かつ安価に、前記粘着ロールのスムーズな回転を行える清掃具を実現することができる。
【００２０】
本発明の第２の形態によれば、前記第１の形態において、前記軸体を断面視略楕円形状としたので、例えば断面略楕円形状の長径部分を前記粘着ロール内径にほぼ等しくし、かつ短径部分を前記粘着ロールの内径部が挿通自在とすることにより、長径部分においてのみ接触して、スムーズな前記粘着ロールの回転運動を得ることができる。
【００２１】
本発明の第３の形態によれば、前記第１又は第２の形態において、少なくとも前記軸体の一端に、前記粘着ロールが圧入により装着可能であり、かつ前記粘着ロール内径より大きい外周部を含むロール抜止部を設けたので、前記外周部に対して前記粘着ロールを圧入装着でき、かつ装着後は前記粘着ロール内径より大きい前記外周部により前記粘着ロールの脱落を防止できる。しかも、前記粘着ロールの交換の際には、前記粘着ロールを前記外周部を越えるように装着時と逆方向に引き抜くことにより簡単に外すことができ、ワンタッチで前記粘着ロールの脱着作業を行うことができる。
【００２２】
本発明の第４の形態によれば、前記第３の形態において、前記ロール抜止部は、前記粘着ロールの内径部が挿通自在な小径部を有し、前記小径部と前記外周部とが外周上に一体形成されてなるので、前記小径部により前記粘着ロールの圧入装着を無理な力を加えずに行うことができ、ロール交換作業を楽に行うことができる。
【００２３】
本発明の第５の形態によれば、前記第３又は第４の形態において、前記ロール抜止部を断面略楕円形状としたので、例えば断面略楕円形状の長径部分を前記粘着ロール内径より大きくし、かつ短径部分を前記粘着ロールの内径部が挿通自在とすることにより、前記粘着ロールの圧入装着を円滑に行え、かつ装着後は前記粘着ロールの脱落を防止することができる。
【００２４】
本発明の第６の形態によれば、前記第３〜第５のいずれかの形態において、前記軸体の先端側に前記粘着ロールの挿通防止部を、また前記軸体の根元側に前記ロール抜止部を設け、前記把持部は前記粘着ロールの内径部が挿通自在な外形を備え、前記軸体と前記把持部とを同軸状に連結形成したので、前記粘着ロールを前記把持部及び前記外周部を挿通させることにより前記軸体に回転自在に、かつ抜け止め防止された状態にワンタッチで装着でき、前記把持部を握った手の振り方向に回転していく前記粘着ロールを備えたハンディタイプの清掃具を提供することができる。
【００２５】
本発明の第７の形態によれば、前記第１〜第６のいずれかの形態において、前記軸体と前記把持部とを互いに交差する向きに連結してなるので、前記粘着ロールの前記軸体への圧入装着を簡易に行え、かつ装着後は前記粘着ロールの脱落を防止することができる、前記把持部を握って前後方向に動かした時、その前後方向に正逆転していく前記粘着ロールを備えたハンディタイプの清掃具を提供することができる。
【発明を実施するための最良の形態】
【００２６】
以下、本発明を適用したハンディタイプの粘着ロール式清掃具の実施形態について、図面を参照して説明する。図１は本実施形態による粘着ロール式清掃具の外観図である。図２は同粘着ロール式清掃具の平面図である。図３は同粘着ロール式清掃具本体の側面図である。
【００２７】
本実施形態は清掃具本体に対して中空状粘着ロール５を脱着自在にした粘着ロール式清掃具である。清掃具本体は、把持部１と、粘着ロール５を回転自在に軸支する軸体２とを同軸状に連結形成して構成されている。軸体２の先端側には粘着ロール５の抜け止めを防止する鍔状の挿通防止部３が形成されている。軸体２の根元側（把持部１側）にもロール抜止部４が形成されている。鍔状のロール抜止部４は一部が軸体２外径より大きく、粘着ロール５を圧入により挿着可能な段差形状を有し、かつ粘着ロール５の挿着後はロール内径より大きい外周部を含む。粘着ロール５は把持部１側より挿入し、把持部１を挿通し、さらにロール抜止部４を越えて圧入することにより軸体２に挿着され、挿通防止部３とロール抜止部４の間で回転自在に軸支される。スペアの粘着ロールに交換する際は、上記の粘着ロール５の装着時と反対向きに軸体２からロール抜止部４を越えるように引き抜くことにより、軸体２から簡単に取り外すことができる。把持部１の開放端側には紐通し用又はフック用の貫通孔６が形成されている。粘着ロール５は中空ロール芯７の外周面に表面を粘着面とした粘着テープ８を多層に巻回したものであり、使用後は新たに粘着テープ８を巻き出すことにより未使用の粘着面にすることができる。粘着テープ８を用いず、ロール芯７の外周表面に粘着剤層を直接形成した粘着ロール５を使用してもよい。ロール粘着層を形成する材料には、塵埃、小生物等を吸着、捕獲できる粘着性を有する粘着剤であればよく、例えば天然ゴムや合成ゴム系、シリコーン系、ポリビニルアルコール、メチルセルロース、ポリビニルエーテル、ポリビニルエステル、ポリアクリル酸系及び／又はポリアクリル酸塩系高分子化合物、アクリル酸エステル、アクリル系水性エマルジョン等を使用することができる。ロール芯７の芯材にはボール紙等の紙材、プラスチック成形物等が好ましい。
【００２８】
ロール抜止部４の構造の詳細を図２のＡ部分の拡大図である図４及び図５により説明する。図５の（５Ａ）は図３のＥ−Ｅ断面を示し、また同一図面上に図３のＦ−Ｆ断面も示している。ロール抜止部４は図５の（５Ａ）に示すように、円弧部９と、円弧部９より大きい外径の長円部１０とからなる断面略楕円形状を有する。円弧部９の外径はロール芯７の中空内径部が挿通自在な大きさであり、長円部１０の最大外形幅Ｄは円弧部９の外径より少し大きく、ロール芯７を圧入挿着可能な大きさに設定されている。なお、軸体２開放端側に設けた挿通防止部３は粘着ロール５のストッパであるが、これに替えてロール抜止部４と同様のロール抜止部を設けてよく、その場合、把持部１側から、また軸体２開放端側からでも粘着ロール５を脱着することができる。
【００２９】
上記の構造のロール抜止部４を軸体２一端に備えることにより、粘着ロール５を圧入により装着し、また逆方向に同様にして抜脱することができる。なお、清掃具本体は図３の中心線Ｂで示すように、半割形状の対称プラスチック成型物を成型物内部の穴部１１と突起１２とを複数個所で嵌合させることにより一体化した簡易組み立て構造を有する。
【００３０】
ロール抜止部４の断面構造として、図５の（５Ｂ）に示すように、ロール芯７の内径部が挿通自在な小径円弧部４１の外周に、丸みのある小突起部４２を複数個対称形状に配置して一体形成したものを使用することができる。
【００３１】
本実施形態における粘着ロール５の軸支構造を図５の（５Ｃ）により説明する。同図（５Ｃ）は図３の軸体２のＤ−Ｄ断面を示す。軸体２は短径部４３と長径部４４とからなる断面視略楕円形状を有する。粘着ロール５を装着したとき、短径部４３と、ロール芯７の内径部との間には１ミリ以下の僅かの隙間が形成され非接触となるとともに、長径部４４がロール芯７の内径部に接触する状態になる。したがって、粘着ロール５をがたつくことなく装着でき、使用時には長径部４４のみで接触して、ロール芯７の内径部との摩擦も低減され、スムーズな回転動作を得ることができる。例えば、真円の丸軸を軸体として使用すると、ロール芯７の内径部に密着性がよくなりすぎるときには回転が硬くなりスムーズに回らず、また隙間を多くすると、がたついて回転しまうが、本実施形態にかかる軸体２を用いた軸支構造によればそのようながたつきを起こすことなくスムーズなロール回転を行わせることができる。しかも、本実施形態においては軸体２を図５の（５Ｃ）に示す断面視略楕円形状に加工するだけで、スムーズ回転軸支構造を簡単に構成できるため、製造コストの低減を図ることができ、安価に実施することができる。
【００３２】
なお、軸体２は図５の（５Ｃ）の形態に限らず、粘着ロール５の挿着状態において、ロール芯７の内径部と接触しない小径部と、該内径部と接触する大径部とからなる断面形状であればよく、例えば図５の（５Ｂ）に示したような小突起部により大径部を形成してもよい。
【００３３】
上記実施形態は、把持部１と軸体２とを同軸状に連結形成して、把持部１を握った手の振り方向に粘着ロール５が回転していくハンディタイプの清掃具であるが、図６に示すように、粘着ロール２３を軸支する軸体２４が把持部２０に対して交差する向きに連結した構成の清掃具にも本発明を適用することができる。軸体２４は粘着ロール２３の芯２３ａを回転自在に軸支する中空円筒部２５有する。円筒部２５の内部には軸材２２を圧入して固着する穴部３０、３１が両端に形成されている。軸材２２は穴部３０、３１に嵌入固定される。軸材２２は略Ｔ字形に延設され、後端側の軸材２１に把持部２０が嵌着固定されている。円筒部２５の一端側（穴部３０側）には粘着ロール２３のストッパ用挿通防止部２６が形成されている。先端の開放端側には上記ロール抜止部４と同様のロール抜止部２７が形成されている。粘着ロール２３はロール抜止部２７側より挿入し、ロール抜止部４を越えて圧入することにより軸体２４に挿着され、挿通防止部２６とロール抜止部２７の間で回転自在に軸支される。粘着ロール交換時には、ロール装着時と反対向きに軸体２４からロール抜止部２７を越えるように引き抜くことにより、軸体２４から簡単に取り外すことができる。
【００３４】
図６に示した実施形態のハンディタイプの清掃具おいては、粘着ロール２３を回転自在に片持ち状に保持した構造を備え、把持部２０を握って前後方向に動かした時、その前後方向に粘着ロール２３が正逆転させることができる。しかも、上記実施形態と同様に、ロール抜止部２７の作用により、粘着ロール２３の軸体２４への圧入装着を簡易に行え、かつ装着後は粘着ロール２３の脱落を防止することができるといったワンタッチロール交換
機能を具備する。
【００３５】
なお、本発明にかかる清掃具は上記実施形態に限定されるものではなく、本発明の要旨を逸脱しない範囲で種々変更することができる。
【産業上の利用可能性】
【００３６】
以上から明らかなように、本発明の第１の形態によれば、前記粘着ロールの内径部と全面的に接触することなく、前記大径部においてのみ接触して、スムーズに前記粘着ロールを回転させることができ、簡単かつ安価な前記粘着ロールの軸支構造を備えた粘着ロール式清掃具を提供することができる。
【００３７】
本発明の第２の形態によれば、前記第１の形態において、例えば断面略楕円形状の長径部分を前記粘着ロール内径にほぼ等しくし、かつ短径部分を前記粘着ロールの内径部が挿通自在とすることにより、長径部分においてのみ接触して、スムーズな前記粘着ロールの回転運動を得ることができる粘着ロール式清掃具を提供することができる。
【００３８】
本発明の第３の形態によれば、前記ロール抜止部を設けることにより、前記粘着ロールを圧入装着でき、かつ装着後は前記粘着ロール内径より大きい前記外周部により前記粘着ロールの脱落を防止でき、また前記粘着ロールの交換の際には、前記粘着ロールを前記外周部を越えるように装着時と逆方向に引き抜くことにより簡単に外すことができ、上述の簡単かつ安価な前記粘着ロールの軸支構造を備えるとともに、ワンタッチで前記粘着ロールの脱着作業を行うことができる粘着ロール式清掃具を提供することができる。
【００３９】
本発明の第４の形態によれば、前記小径部により前記粘着ロールの圧入装着を無理な力を加えずに行うことができ、ロール交換作業を楽に行うことができる粘着ロール式清掃具を提供することができる。
【００４０】
本発明の第５の形態によれば、断面略楕円形状の前記ロール抜止部を用いることにより、前記粘着ロールの圧入装着を円滑に行え、かつ装着後は前記粘着ロールの脱落を防止することができる粘着ロール式清掃具を提供することができる。
【００４１】
本発明の第６又は第７の形態によれば、ワンタッチで前記粘着ロールを脱着できるハンディタイプの清掃具を提供することができる。
【図面の簡単な説明】
【００４２】
【図１】本発明の一実施形態である粘着ロール式清掃具の外観図である。
【図２】図１の粘着ロール式清掃具の平面図である。
【図３】図１の粘着ロール式清掃具本体の側面図である。
【図４】図２のＡ部分の部分拡大図である。
【図５】本発明にかかるロール抜止部の断面構造及び軸体２の軸支構造を説明するための断面である。
【図６】本発明の別の実施形態である粘着ロール式清掃具の外観図である。
【図７】従来の清掃具を示す外観図である。
【図８】従来の清掃具における粘着ロールの交換構造を説明するための断面図である。
【符号の説明】
【００４３】
１      把持部、
２      軸体、
３      挿通防止部、
４      ロール抜止部、
５      中空状粘着ロール、
７      ロール芯、
８      粘着テープ８
９      円弧部、
１０    長円部
４３    短径部
４４    長径部
【図１】
2006061534.tif 000003
【図２】
2006061534.tif 000004
【図３】
2006061534.tif 000005
【図４】
2006061534.tif 000006
【図５】
2006061534.tif 000007
【図６】
2006061534.tif 000008
【図７】
2006061534.tif 000009
【図８】
2006061534.tif 000010